(57)【要約】【課題】フロントパネルの外観的意匠を損なわず、かつ、メンテ時、お手入れを容易にすることができることを目的とする。【解決手段】浴室の天井裏に、圧縮機１と、第一熱交換器２と、第二熱交換器３とを順に連結し、冷凍サイクルを箱状の外郭内に配し、送風機ユニット５を配した本体ユニット８において、この本体ユニット８の下方に前記浴室内の空気を側面外周より吸込むパネル吸込み口１４を有したフロントパネル１７を設けたことにより、フロントパネル１７自体に吸込み口を形成する必要が無いため外観的に意匠を損なわなく、また、設置時フロントパネル１７外周と天井を密着しての取付けを必要としないため、施工が容易にできるという効果のある換気空調装置を提供できる。【選択図】図１
2010101506.tif 000002
【特許請求の範囲】
【請求項１】
浴室の天井裏に、冷媒を圧縮するための圧縮機と、通過する空気に放熱するための第一熱交換器と、冷媒を膨張するための膨張機構と、通過する空気から吸熱するための第二熱交換器とを順に連結し、冷媒を流通させるための冷媒回路を設けた冷凍サイクルを箱状の外郭内に配し、外郭内部または外郭側面に送風機ユニットを配した本体ユニットにおいて、この本体ユニットの下方にパネル吹出し口と前記浴室内の空気を側面外周より吸込むパネル吸込み口を有したフロントパネルを設けたことを特徴とする換気空調装置。
【請求項２】
フロントパネルを、固定パネルと可動パネルに分割したことを特徴とする請求項１記載の換気空調装置。
【請求項３】
可動パネルの側面にフック部を形成し、固定パネルに前記可動パネルを着脱自在としたことを特徴とする請求項１記載の換気空調装置。
【請求項４】
可動パネルに鍵状の第一係止部を設け、固定パネルに前記第一係止部を保持する第一係止口を設けたことを特徴とする請求項２または３記載の換気空調装置。
【請求項５】
可動パネルに、着脱自在のフィルターを設けたことを特徴とする請求項２〜４のいずれかに記載の換気空調装置。
【請求項６】
固定パネルを本体ユニット底面より大きくなるように形成したことを特徴とする請求項１〜５のいずれかに記載の換気空調装置。
【請求項７】
フロントパネルの吹出し口に、多翼のルーバー翼を有したルーバーを設けたことを特徴とする請求項１記載の換気空調装置。
【請求項８】
ルーバー翼を、直線上に設けたことを特徴とする請求項７記載の換気空調装置。
【請求項９】
ルーバー翼を、個々に異なる角度で設けたことを特徴とする請求項７または８記載の換気空調装置。
【請求項１０】
ルーバーに、回動駆動する駆動手段を設けたことを特徴とする請求項７記載の換気空調装置。
【請求項１１】
駆動手段を、ステッピングモーターとしたことを特徴とする請求項７または８記載の換気空調装置。
【請求項１２】
ルーバー翼を、略円弧体としたことを特徴とする請求項７または８記載の換気空調装置。
【発明の詳細な説明】
【技術分野】
【０００１】
本発明は、冷凍サイクルを構成し圧縮機を搭載した換気空調装置関する。
【背景技術】
【０００２】
従来、この種の換気空調装置としては、化粧板グリル中央に位置する吸込口から吸込まれた空気を送風機によって送り出され、熱交換器によって加熱（冷却）された後、ルーバーによって風向をコントロールされながら吸込口周囲に設けられた吹出口から吹出される構成とした換気空調装置が知られている（例えば、特許文献１参照）。
【０００３】
以下、その換気空調装置について、図１１および図１２を参照しながら説明する。
【０００４】
図１１および図１２に示すように、１０１は天井埋込型の室内機、１０２は天壁である。１０３は固定ボルトであり、室内機１０１を天壁１０２に固定する。１０４は天井である。１０５は、室内機１０１の外殻であり、天井１０４と略同一平面上に開口している。１０６は化粧板グリルであり、外殻１０５の開口部に取付けられている。１０７ａ、１０７ｂは空調システムの室内側熱交換器である。１０８は送風機である。１０９ａ、１０９ｂは送風機のケーシングである。１１０は室内空気の吸込口であり、化粧板グリル１０６の中央部に設けられており、方形状をなしている。１１１ａ、１１１ｂは熱交換器１０７ａ、１０７ｂによって熱交換を行った空気の吹出し口であり、吸込口１１０の周囲に設けられている。１１２ａ、１１２ｂは吹出し口１１１ａ、１１１ｂより吹出す空気の方向をコントロールするための回転可能なルーバーを設けた構成としている。
【特許文献１】特開平１−１６９２４５号公報
【発明の開示】
【発明が解決しようとする課題】
【０００５】
このような従来の換気空調装置では、化粧板グリル中央に位置する吸込口から吸込まれた空気は送風機によって送り出され、熱交換器によって加熱（冷却）された後、ルーバーによって風向をコントロールされながら吸込口周囲に設けられた吹出口から吹出される構成となっているために、化粧グリルに開口部が多く外観的に意匠が損なわれるという課題がある。また、化粧板グリルは、天井面である天井に設置した本体外殻の開口部に取付けられるため、メンテ時、高所でのお手入れ作業が困難であるという課題がある。
【０００６】
本発明は、このような従来の課題を解決するものであり、フロントパネルの外観的意匠を損なわず、かつ、メンテ時、お手入れを容易にすることができる換気空調装置を提供することを目的とする。
【課題を解決するための手段】
【０００７】
浴室の天井裏に、本発明の換気空調装置は、上記目的を達成するために、冷媒を圧縮するための圧縮機と、通過する空気に放熱するための第一熱交換器と、冷媒を膨張するための膨張機構と、通過する空気から吸熱するための第二熱交換器とを順に連結し、冷媒を流通させるための冷媒回路を設けた冷凍サイクルを箱状の外郭内に配し、外郭内部または外郭側面には送風機ユニットを配した本体ユニットにおいて、この本体ユニットの下方にパネル吹出し口と前記浴室内よりの空気を側面外周より吸込むパネル吸込み口を有したフロントパネルを設けたものである。
【０００８】
また、他の手段は、フロントパネルを、固定パネルと前記可動パネルに分割したものである。
【０００９】
また、他の手段は、可動パネルの側面にフック部を形成し、固定パネルに可動パネルを着脱自在としたものである。
【００１０】
また、他の手段は、可動パネルに鍵状の係止部を設け、固定パネルに前記係止部を保持する係止口を設けたものである。
【００１１】
また、他の手段は、可動パネルに着脱自在フィルターを設けたものである。
【００１２】
また、他の手段は、固定パネルを本体ユニット底面より大きくなるように形成したものである。
【００１３】
また、他の手段は、フロントパネルの吹出し口に多翼のルーバー翼を有したルーバーを設けたものである。
【００１４】
また、他の手段は、ルーバー翼を、直線上に設けたものである。
【００１５】
また、他の手段は、ルーバー翼を、個々に異なる角度で設けたものである。
【００１６】
また、他の手段は、ルーバーに、回動駆動する駆動手段を設けたものである。
【００１７】
また、他の手段は、駆動手段を、ステッピングモーターとしたものである。
【００１８】
また、他の手段は、ルーバー翼を、略円弧体としたものである。
【発明の効果】
【００１９】
本発明によれば、浴室の天井裏に、冷媒を圧縮するための圧縮機と、通過する空気に放熱するための第一熱交換器と、冷媒を膨張するための膨張機構と、通過する空気から吸熱するための第二熱交換器とを順に連結し、冷媒を流通させるための冷媒回路を設けた冷凍サイクルを箱状の外郭内に配し、外郭内部または外郭側面には送風機ユニットを配した本体ユニットにおいて、この本体ユニットの下方にパネル吹出し口と前記浴室内よりの空気を側面外周より吸込むパネル吸込み口を有したフロントパネルを設けたことにより、送風機ユニットのファンにより形成される風路において、本体吸込み口を有した本体ユニット下面に、フロントパネル外周に吸込み口を位置することでフロントパネル自体に吸込み口を形成する必要が無いため外観的に意匠が損なわれず、設置時フロントパネル外周と天井を密着しての取付けを必要としないため、施工が容易にできるという効果のある換気空調装置を提供することができる。
【００２０】
また、フロントパネルを、固定パネルと可動パネルに分割することにより、フロントパネルを軽量化することで施工時、高所への施工が容易にできるとともに、設置後、可動パネルにより固定パネルの吸込み口が覆われるためフロントパネルの外観を損なわないという効果のある換気空調装置を提供することができる。
【００２１】
また、可動パネルの側面にフック部を形成し、固定パネルに前記可動パネルを着脱自在としたことにより、可動パネルのフック部を固定パネルの回転軸部に引掛けるのみで可動パネルの装着が可能なため、施工時、高所への施工が容易にできるとともに、可動パネルをはずすことでお手入れ、メンテナンスが容易にできるという効果のある換気空調装置を提供することができる。
【００２２】
また、可動パネルに鍵状の第一係止部を設け、固定パネルに前記第一係止部を保持する第一係止口を設けたことにより、可動パネルを固定パネルに引掛けた状態で回動させての可動パネルの着脱が自在にできるため、施工時、高所への施工が容易にできるとともに、可動パネルのお手入れ、メンテナンスが容易にできるという効果のある換気空調装置を提供することができる。
【００２３】
また、着脱自在の可動パネルのフィルターを設けたことにより、フィルター装着した状態で可動パネルを回動できるため、可動パネルを固定パネルに装着ままフィルターの清掃ができ容易にお手入れができる。また、可動パネルを取外してのお手入れも可能なため高所での危険な作業を軽減できるという効果のある換気空調装置を提供することができる。
【００２４】
また、固定パネルを本体ユニット底面より大きくなるように形成したことにより、本体ユニットの外周フランジを固定パネルを固定することで外周フランジを覆うことができるため、下方向よりの目線でフロントパネルの外観を損なわないという効果のある換気空調装置を提供することができる。
【００２５】
また、フロントパネルの吹出し口に多翼のルーバー翼を有したルーバーを設けたことにより、本体ユニットより搬送された空気は複数個のルーバー翼によって整流されるため、浴室内部に良好な空気分布を得ることができるという効果のある換気空調装置を提供することができる。
【００２６】
また、ルーバー翼を、直線上に設けたことにより、ルーバー翼に沿って空気が吹出されるため、吹出したい空間の適所に送風できるという効果のある換気空調装置を提供することができる。
【００２７】
また、ルーバー翼を、個々に異なる角度でルーバー翼を設けたことにより、ルーバー翼が縮小方向の場合、吹出す空気は、浴室中央近傍に対して集中的に空気を吹出し、拡大方向の場合は浴室端方向に拡散して空気を吹出すため本体ユニットの運転モードで拡大、縮小させることで快適な室内環境を得ることができるという効果のある換気空調装置を提供することができる。
【００２８】
また、ルーバーに、回動駆動する駆動手段を設けたことにより、回動駆動により吹出す空気がルーバー翼の縮小方向の場合、浴室中央近傍に対して集中的に空気を吹出し、拡大方向の場合は浴室端方向に拡散して空気を吹出すため本体ユニットの運転モードで拡大、縮小させることで快適な室内環境を得ることができると共に洗濯物の乾きむらが無い洗濯乾燥が可能となるという効果のある換気空調装置を提供することができる。
【００２９】
また、駆動手段を、ステッピングモーターとしたことにより、ルーバーのきめ細かな動作が可能となるため、精度よく角度を調整することができるという効果のある換気空調装置を提供することができる。
【００３０】
また、ルーバー翼を、略円弧体としたことにより、ルーバーのルーバー翼を円弧体に形成することで吹出し開口を小さくでき、かつスムーズな回動駆動を得ることができるという効果のある換気空調装置を提供することができる。
【発明を実施するための最良の形態】
【００３１】
本発明の請求項１記載の換気空調装置は、浴室の天井裏に、冷媒を圧縮するための圧縮機と、通過する空気に放熱するための第一熱交換器と、冷媒を膨張するための膨張機構と、通過する空気から吸熱するための第二熱交換器とを順に連結し、冷媒を流通させるための冷媒回路を設けた冷凍サイクルを箱状の外郭内に配し、外郭内部または外郭側面には送風機ユニットを配した本体ユニットにおいて、この本体ユニットの下方にパネル吹出し口と前記浴室内よりの空気を側面外周より吸込むパネル吸込み口を有したフロントパネルを設けたものであり、送風機ユニットのファンにより形成される風路において、本体吸込み口を有した本体ユニット下面に、フロントパネル外周より浴室内空気を吸込む様に、設置時、フロントパネル外周とフロントパネル設置面である本体ユニット下面に隙間を形成したフロントパネルを設置して通風路を形成するという作用を有する。
【００３２】
また、フロントパネルを、固定パネルと可動パネルに分割したものであり、フロントパネルを、通風路である本体ユニット下面開口に連通する位置に空気を浴室内へ吹出す吹出し口と浴室内の空気を吸込む吸込み口を有した固定パネルと固定パネルに着脱手段により取付けられる可動パネルとに分割した。尚、固定パネルは本体ユニット下面にねじなどで固定され、設置後、固定パネルの吸込み口は可動パネルで覆われるいう作用を有する。
【００３３】
また、可動パネル側面にフック部を形成し、固定パネルに可動パネルを着脱自在としたものであり、可動パネル側面の鉛直方向に、少なくとも２箇所以上のフック部を形成すると共に、固定パネルの外周一端に可動パネルのフック部を係止する回転軸部を形成して、可動パネルを回動可能にするという作用を有する。
【００３４】
また、可動パネルに鍵状の第一係止部を設け、固定パネルに前記第一係止部を保持する第一係止口を設けたものであり、固定パネルとの分割部近傍一端で天井面に対し垂直方向に、少なくとも２箇所以上の鍵状の第一係止部を可動パネルに形成すると共に、可動パネルの突合せ部である固定パネル傾斜面に可動パネルの第一係止部を嵌合する第一係止口を形成したという作用を有する。
【００３５】
また、可動パネルに着脱自在のフィルターを設けたものであり、略ちりとり状に成形された可動パネル内側面に略Ｌ字状リブに鍵状の第二係止部を少なくとも４箇所以上有した天井面に対し垂直方向に形成した可動パネルに、箱状で側面４箇所以上に可動パネルの第二係止部を嵌合する第二係止口を有するフィルターを設置するという作用を有する。
【００３６】
また、固定パネルを本体ユニット底面より大きくなるように形成したものであり、固定パネルの平面積を、本体ユニット外壁より外側に成形した本体ユニット下面の外周フランジを含めた外周平面積より大とし、固定パネルを固定する際、外周フランジに干渉しないように固定パネルの取付内側平面に凹部を設けたという作用を有する。
【００３７】
また、フロントパネルの吹出し口に多翼のルーバー翼を有したルーバーを設置したものであり、フロントパネルに沿って曲線状に形成され、複数個のルーバー翼を配し、垂直方向に形成された両側壁に軸を設けたルーバーを固定パネルの吹出し口に設置するという作用を有する。
【００３８】
また、ルーバー翼を、直線上に設けたものであり、ルーバー表面は、フロントパネルに沿って曲線状に形成され、直線上には複数個のルーバー翼を垂直方向に配したルーバーを固定パネルの吹出し口に設置するという作用を有する。
【００３９】
また、ルーバー翼を、個々に異なる角度で設けたものであり、フロントパネルに沿って曲線状に形成され、直線上には複数個のルーバー翼を配し、それぞれのルーバー翼は片端を縮小方向に、もう一方の片端は拡大方向に垂直方向に略扇状に形成されたルーバーを固定パネルの吹出し口に設置するという作用を有する。
【００４０】
また、ルーバーに、回動駆動する駆動手段を設けたものであり、ルーバーにルーバーの軸を固定パネルに設置されたモーターに連結することで回動駆動を可能とし、本体ユニットの運転モードにより吹出し開度がコントロールされるという作用を有する。
【００４１】
また、駆動手段を、ステッピングモーターとしたものであり、ルーバーにルーバーの軸を固定パネルに設置されたステッピングモーターに連結することで回動駆動を可能とし、ルーバー翼の角度を調整するという作用を有する。
【００４２】
また、ルーバー翼を、略円弧体としたものであり、ルーバーに設けたルーバー翼を円弧体に形成し、ルーバーの軸を中心に回動駆動し、本体ユニットの運転モードにより開閉するという作用を有する。
【００４３】
以下、本発明の実施の形態について、図面を参照しながら説明する。
【００４４】
（実施の形態１）
図１に示すように、浴室の天井裏に、冷媒を圧縮するための圧縮機１と、通過する空気に放熱するための第一熱交換器２と、冷媒を膨張するための膨張機構（図示せず）と、通過する空気から吸熱するための第二熱交換器３とを順に連結し、冷媒を流通させるための冷媒回路（図示せず）を設けた冷凍サイクルを箱状の外郭内に配し、外郭内部には通風路を形成する循環ファン４を有す送風機ユニット５を配し、他室または浴室内の空気を排気する排気ファン６を有す排気ユニット７を配した本体ユニット８において、この本体ユニット８は、本体ユニット下面９に、ダンパーモーター（図示せず）の制御により開閉する第一ダンパー１０を有した第一吸込み口１１と、第二ダンパー１２を有した第二吸込み口１３とのそれぞれに連通する位置に浴室内の空気を吸込むパネル吸込み口１４を有し、本体ユニット８の下面の本体吹出し口１５に連通する位置に空気を浴室内へ吹出すパネル吹出し口１６を有したフロントパネル１７を設置して構成される。
【００４５】
また、図２および図３に示すように、フロントパネル１７は、可動パネル１８と固定パネル１９に分割され、固定パネル１９は図１の本体ユニット下面９にねじなどで固定され、設置後、固定パネル１９のパネル吸込み口１４は可動パネル１８で覆われ、可動パネル１８側面一端の鉛直方向に、少なくとも２箇所以上のフック部２０を形成し、可動パネル１８は、固定パネル１９の外周一端に可動パネル１８のフック部２０を係止する円柱状の回転軸部２１を軸にして回動可能に構成される。
【００４６】
また、図４に示すように、固定パネル１９からの可動パネル１８の着脱は、固定パネル１９との分割部近傍一端で天井面に対し垂直方向に、少なくとも２箇所以上の鍵状の第一係止部２２を可動パネル１８に形成すると共に、可動パネル１８の突合せ部である固定のパネル傾斜面２３に可動パネル１８の第一係止部２２を嵌合する第一係止口２４を形成し、可動パネル１８装着状態で固定パネル１９の設置面と可動パネル１８との間に隙間が形成され、固定パネル１９外周より浴室よりの空気を吸込む通風路を形成して構成される。
【００４７】
また、図５に示すように、略ちりとり状に成形された可動パネル１８内側面に略Ｌ字状リブに鍵状の第二係止部２５を少なくとも４箇所以上有し、かつ、天井面に対し垂直方向に形成した可動パネル１８には、箱状で側面角部４箇所以上に可動パネル１８の第二係止部２５を嵌合する第二係止口２６を有するフィルター２７を設置し構成される。
【００４８】
また、図６に示すように、固定パネル１９は、固定パネル１９の平面積を、本体ユニット８外壁より外側に成形した本体ユニット下面９の外周フランジ２８を含めた外周平面積より大とし、固定パネル１９を固定する際、外周フランジ２８に干渉しないように固定パネル１９の取付内側平面に凹部２９を設け構成されている。
【００４９】
上記構成により、送風機ユニット５の循環ファン４により形成される風路において、本体吸込み口を有した本体ユニット下面９に、フロントパネル１７外周より浴室内空気を吸込む様に、設置時、フロントパネル１７外周とフロントパネル１７設置面である本体ユニット下面９に隙間を形成したフロントパネル１７を設置して通風路を形成する。
【００５０】
また、フロントパネル１７を、通風路である本体ユニット下面９開口に連通する位置に空気を浴室内へ吹出す吹出し口と浴室内の空気を吸込む吸込み口を有した固定パネル１９と固定パネル１９に着脱手段により取付けられる可動パネル１８とに分割した。尚、固定パネル１９は本体ユニット下面９にねじなどで固定され、設置後、固定パネル１９の吸込み口は可動パネル１８で覆われる。
【００５１】
また、可動パネル１８側面の鉛直方向に、少なくとも２箇所以上のフック部２０を形成すると共に、固定パネル１９の外周一端に可動パネル１８のフック部２０を係止する回転軸部２１を形成して、可動パネル１８を回動可能にする。
【００５２】
また、固定パネル１９との分割部近傍一端で天井面に対し垂直方向に、少なくとも２箇所以上の鍵状の第一係止部２２を可動パネル１８に形成すると共に、可動パネル１８の突合せ部である固定のパネル傾斜面２３に可動パネル１８の第一係止部２２を嵌合する第一係止口２４を形成した。
【００５３】
また、略ちりとり状に成形された可動パネル１８内側面に略Ｌ字状リブに鍵状の第二係止部２５を少なくとも４箇所以上有した天井面に対し垂直方向に形成した可動パネル１８に、箱状で側面４箇所以上に可動パネル１８の第二係止部２５を嵌合する第二係止口２６を有するフィルター２７を設置する。
【００５４】
また、固定パネル１９の平面積を、本体ユニット８外壁より外側に成形した本体ユニット下面９の外周フランジ２８を含めた外周平面積より大とし、固定パネル１９を固定する際、外周フランジ２８に干渉しないように固定パネル１９の取付内側平面に凹部２９を設けた。
【００５５】
このように本発明の実施の形態１の換気空調装置によれば、本体吸込み口を有した本体ユニット下面９に、フロントパネル外周に吸込み口を位置することでフロントパネル１７自体に吸込み口を形成する必要が無いため外観的に意匠が損なわれず、設置時フロントパネル１７外周と天井を密着しての取付けを必要としないため、施工が容易にできることとなる。
【００５６】
また、フロントパネル１７を軽量化することで施工時、高所への施工が容易にできるとともに、設置後、可動パネル１８により固定パネル１９の吸込み口が覆われるためフロントパネル１７の外観を損なわないこととなる。
【００５７】
また、可動パネル１８のフック部２０を固定パネルの回転軸部２１に引掛けるのみで可動パネル１８の装着が可能なため、施工時、高所への施工が容易にできるとともに、可動パネル１８をはずすことでお手入れ、メンテナンスが容易にできることとなる。
【００５８】
また、可動パネル１８を固定パネル１９に引掛けた状態で回動させての可動パネル１８の着脱が自在にできるため、施工時、高所への施工が容易にできるとともに、可動パネル１８のお手入れ、メンテナンスが容易にできることとなる。
【００５９】
また、フィルター２７を装着した状態で可動パネル１８を回動できるため、可動パネル１８を固定パネル１９に装着ままフィルター２７の清掃ができ容易にお手入れができる。また、可動パネル１８を取外してのお手入れも可能なため高所での危険な作業を軽減できることとなる。
【００６０】
また、固定パネル１９を本体ユニット底面より大きくなるように形成したことにより、本体ユニット８の外周フランジ２８を固定パネル１９を固定することで外周フランジ２８を覆うことができるため、下方向よりの目線でフロントパネル１７の外観を損なわないこととなる。
【００６１】
（実施の形態２）
図７〜図１０において実施の形態１と異なるところは、ルーバー３０がフロントパネル１７に沿って曲線状に形成され、複数個のルーバー翼３１を配し、垂直方向に形成された両側壁に軸３２を設け、直線上の軸３２には複数個のルーバー翼３１を軸３２に対して垂直方向に配し、軸３２の両端に対してルーバー翼３１は一方を縮小方向３３に、もう一方は軸３２に対して拡大方向３４となるように垂直方向に略扇状に形成したルーバー３０を固定パネル１９のパネル吹出し口１６に設置して構成され、ルーバー３０は、ルーバー３０にルーバーの軸３２を固定パネル１９に設置されたステッピングモーター３５に連結することで回動駆動を可能とし、本体ユニット８の運転モードによりルーバー翼３１の角度および吹出し開度が調整、コントロールし、ルーバー３０に設けたルーバー翼３１を円弧体３６に形成して構成とした点である。また、図７〜図１０において、図１〜図６と同じ構成要素については同じ符号を用い説明を省略する。
【００６２】
上記構成により、フロントパネル１７に沿って曲線状に形成され、複数個のルーバー翼３１を配し、垂直方向に形成された両側壁に軸３２を設けたルーバー３０を固定パネル１９のパネル吹出し口１６に設置する。
【００６３】
また、ルーバー３０表面は、フロントパネル１７に沿って曲線状に形成され、軸３２の直線上には複数個のルーバー翼３１を垂直方向に配したルーバー３０を固定パネル１９のパネル吹出し口１６に設置する。
【００６４】
また、フロントパネル１７に沿って曲線状に形成され、軸３２の直線上には複数個のルーバー翼３１を配し、軸３２の両端に対してルーバー翼３１は片端を縮小方向３３に、もう一方の片端は拡大方向３４となるように垂直方向に略扇状に形成されたルーバー３０を固定パネル１９のパネル吹出し口１６に設置する。
【００６５】
また、ルーバー３０にルーバー３０の軸３２を固定パネル１９に設置されたモーターに連結することで回動駆動を可能とし、図６の本体ユニット８の運転モードにより吹出し開度がコントロールされる。
【００６６】
また、ルーバー３０にルーバー３０の軸３２を固定パネルに設置されたステッピングモーター３５に連結することで回動駆動を可能とし、ルーバー翼３１の角度を調整する。
【００６７】
また、ルーバー３０に設けたルーバー翼３１を円弧体３６に形成し、ルーバー３０の軸３２を中心に回動駆動し、本体ユニット８の運転モードにより開閉する。
【００６８】
このように本発明の実施の形態２の換気空調装置によれば、フロントパネル１７のパネル吹出し口１６に多翼のルーバー翼３１を有したルーバー３０を設けたことにより、本体ユニット８より搬送された空気は複数個のルーバー翼３１によって整流されるため、浴室内部に良好な空気分布を得ることができることとなる。
【００６９】
また、ルーバー翼３１に沿って空気が吹出されるため、吹出したい空間の適所に送風できることとなる。
【００７０】
また、ルーバー翼３１が縮小方向３３の場合、吹出す空気は、浴室中央近傍に対して集中的に空気を吹出し、拡大方向３４の場合は浴室端方向に拡散して空気を吹出すため本体ユニット８の運転モードで拡大、縮小させることで快適な室内環境を得ることができることとなる。
【００７１】
また、ルーバー３０に、回動駆動により吹出す空気がルーバー翼３１の縮小方向３３の場合、浴室中央近傍に対して集中的に空気を吹出し、拡大方向３４の場合は浴室端方向に拡散して空気を吹出すため本体ユニット８の運転モードで拡大、縮小させることで快適な室内環境を得ることができることとなる。
【００７２】
また、ステッピングモーター３５によりルーバー３０のきめ細かな動作が可能となるため、精度よく角度を調整することができることとなる。
【００７３】
また、ルーバー３０のルーバー翼３１を円弧体３６に形成することで吹出し開口を小さくでき、かつスムーズな回動駆動を得ることができることとなる。
【産業上の利用可能性】
【００７４】
本発明の冷凍サイクルを搭載した換気空調装置は、フロントパネルの外観的意匠を損なわず、かつ、メンテ時、お手入れを容易にすることができるものであり、浴室の換気空調のみならず、リビング、寝室、キッチンあるいは洗面所等の換気空調装置にも適用することができる。
【図面の簡単な説明】
【００７５】
【図１】本発明の実施の形態１の換気空調装置の構成図（（ａ）上面構成図、（ｂ）側面構成図）
【図２】同換気空調装置のフロントパネルの斜視図
【図３】同換気空調装置のフロントパネルの構成図
【図４】同換気空調装置の可動パネルを着脱した状態の構成図
【図５】同換気空調装置の可動パネルにフィルターを設置する状態の斜視図
【図６】同換気空調装置の本体ユニットにフロントパネルを取付けた状態の構成図
【図７】本発明の実施の形態２の換気空調装置のフロントパネルにルーバーを設置した状態の斜視図
【図８】同換気空調装置のルーバーの斜視図
【図９】同換気空調装置のルーバーの構成図（（ａ）正面構成図、（ｂ）側面構成図）
【図１０】同換気空調装置のルーバーをステッピングモーターに取付けた状態の断面図
【図１１】従来の換気空調装置の構成図
【図１２】同換気空調装置のパネルの正面図
【符号の説明】
【００７６】
１    圧縮機
２    第一熱交換器
３    第二熱交換器
４    循環ファン
５    送風機ユニット
６    排気ファン
７    排気ユニット
８    本体ユニット
９    本体ユニット下面
１０  第一ダンパー
１１  第一吸込み口
１２  第二ダンパー
１３  第二吸込み口
１４  パネル吸込み口
１５  本体吹出し口
１６  パネル吹出し口
１７  フロントパネル
１８  可動パネル
１９  固定パネル
２０  フック部
２１  回転軸部
２２  第一係止部
２３  パネル傾斜面
２４  第一係止口
２５  第二係止部
２６  第二係止口
２７  フィルター
２８  外周フランジ
２９  凹部
３０  ルーバー
３１  ルーバー翼
３２  軸
３３  縮小方向
３４  拡大方向
３５  ステッピングモーター
３６  円弧体
【図１】
2010101506.tif 000003
【図２】
2010101506.tif 000004
【図３】
2010101506.tif 000005
【図４】
2010101506.tif 000006
【図５】
2010101506.tif 000007
【図６】
2010101506.tif 000008
【図７】
2010101506.tif 000009
【図８】
2010101506.tif 000010
【図９】
2010101506.tif 000011
【図１０】
2010101506.tif 000012
【図１１】
2010101506.tif 000013
【図１２】
2010101506.tif 000014